(57)【特許請求の範囲】
【請求項１】
分離可能なインナー部材とアウター部材とからなる電子機器携帯用着衣であって、
前記インナー部材の前記アウター部材側表面には、電子機器装着部が複数設けられ、
前記アウター部材は、前記電子機器装着部に対応する箇所のうち、少なくとも１箇所が膨出して形成されていることを特徴とする電子機器携帯用着衣。
【請求項２】
分離可能なインナー部材とアウター部材とからなる電子機器携帯用着衣であって、
前記インナー部材の前記アウター部材側表面には、電子機器装着部が複数設けられ、
前記インナー部材の胸部に電源状態表示用発光素子装着部が設けられ、
前記アウター部材の前記電源状態表示用発光素子装着部に対応する部分が、透明または半透明に形成されていることを特徴とする電子機器携帯用着衣。
【請求項３】
前記アウター部材は、前記電子機器装着部に対応する箇所のうち、少なくとも１箇所が膨出して形成されていることを特徴とする請求項２に記載の電子機器携帯用着衣。
【請求項４】
前記インナー部材には、少なくとも１つのケーブル止めが設けられていることを特徴とする請求項１〜３の何れかに記載の電子機器携帯用着衣。
【請求項５】
バックルにスイッチが組み込まれてなるバックルスイッチ内蔵のベルトが付属した電子機器携帯用着衣であって、
前記ベルトは電子機器制御用端子を有し、前記スイッチは装着により作動し、電子機器制御用端子を導通させることを特徴とする請求項１〜４の何れかに記載の電子機器携帯用着衣。
【請求項６】
請求項１〜５の何れかに記載の電子機器携帯用着衣を用いた着衣装着型電子機器システムであって、
前記電子機器携帯用着衣のインナー部材の電子機器装着部に、コンピュータ，データ通信装置，カメラ主装置，モニター主装置の電子機器のうち少なくとも１つが装着されてなることを特徴とする着衣装着型電子機器システム。
【請求項７】
カメラを搭載のヘルメットを含み、前記カメラは、前記カメラ主装置に接続されていることを特徴とする請求項６に記載の着衣装着型電子機器システム。
【請求項８】
超小型ディスプレイ搭載のヘルメットを含み、前記超小型ディスプレイは、前記モニター主装置に接続されていることを特徴とする請求項６または７に記載の着衣装着型電子機器システム。
【請求項９】
前記電子機器携帯用着衣のインナー部材の電子機器装着部に、さらにバッテリーパック及び電源制御装置が装着された着衣装着型電子機器システムであって、
前記電源制御装置は、前記バッテリーパックの電力を、前記コンピュータ、前記データ通信装置、前記カメラ主装置、前記モニター主装置の電子機器のうち、少なくとも１つの電源として機能することを特徴とする請求項６〜８の何れかに記載の着衣装着型電子機器システム。
【請求項１０】
前記電子機器携帯用着衣として、バックルスイッチ組み込み式ベルトを付属構成要素として持つ電子機器携帯用着衣を用いた着衣装着型電子機器システムであって、
前記ベルトは電源制御接続端子を有し、前記バックルスイッチは装着によりオンとなって、前記制御用端子に接続された前記電源制御装置を駆動することを特徴とする請求項９に記載の着衣装着型電子機器システム。
【請求項１１】
前記電子機器携帯用着衣として、前記インナー部材の胸部に発光素子装着部が設けられ、かつ前記アウター部材の当該電源状態表示用発光素子装着部に対応する部分が、透明または半透明に形成された電子機器携帯用着衣を用いた着衣装着型電子機器システムであって、
前記発光素子装着部に装着された前記発光素子は、前記電源制御装置の動作を表示することを特徴とする請求項９または１０に記載の着衣装着型電子機器システム。
【発明の詳細な説明】
【０００１】
【発明の属する技術分野】
本発明は、複数の電子機器を装備した電子機器携帯用着衣及び当該電子機器携帯用着衣を用いた着衣装着型電子機器システムに関し、特に装着された各種電子機器を効率よく使用することができ、遠隔地のステーションと画像等のデータ通信を効率よく行うことができる前記電子機器携帯用着衣及び前記着衣装着型電子機器システムに関する。
【０００２】
【従来の技術】
電気工事，ガス工事，電話工事等の現場技術者は、コンピュータ，データ通信装置，小型カメラ（スチルカメラまたはムービーカメラ）等の携帯電子機器を携帯して作業を行うことが多い。
【０００３】
現場技術者は、たとえば、鉄柱上や鉄塔上など危険な環境下で作業をしなくてはならない場合も多いし、或いはマンホール等の身動きが制限される場所で作業をしなくてはならない場合も多い。
【０００４】
従って、携帯した電子機器は、必要時に容易に使用ができるように、着衣のポケットに入れておいたり、ベルト等に取り付けられた専用ホルダーに収容しておくことが多い。
【０００５】
通常、現場技術者が携帯する電子機器は、複数（通常は、携帯型電話，カメラ，ハンドヘルドコンピュータ等）に及ぶため、電子機器同士の配線の引き回しが煩雑となる。このため、被服に配線を這わせた配線組み込み型の専用着衣（特開２０００−１４８２９０等参照）も提案されている。
【０００６】
【発明が解決しようとする課題】
ところが、上記の専用着衣をクリーニングする場合、着衣から配線を取り外したり、或いは、配線が着衣に縫い込まれている場合には配線の端部をキャップで防水しなければならない。
【０００７】
また、種々の温度環境に対応するためには、冬季用の専用着衣の素材には、防寒に優れた素材を採用しなくてはならないし、夏季用の専用着衣の素材には、通気性に優れた素材を採用しなくてはならずコストがかかる。
【０００８】
本発明の目的は、装着された各種電子機器を効率よく使用することができ、遠隔地のステーションと、画像等のデータ通信を効率よく行うことができる電子機器携帯用着衣及び着衣装着型電子機器システムを提供することにある。
【０００９】
【課題を解決するための手段】
この発明の電子機器携帯用着衣は、分離可能なインナー部材とアウター部材とからなる電子機器携帯用着衣であって、インナー部材には、複数の電子機器装着部が設けられているものを前提とする。
【００１０】
上記の前提の構成において、本発明では、アウター部材は、電子機器装着部に対応する箇所のうち、少なくとも１箇所が膨出して形成する。これにより、嵩の大きい電子機器を電子機器装着部に収容しても、着心地が悪くなることはない。アウター部材の、少なくとも１つの電子機器装着部に対応する箇所は、表裏連通して形成し、または表裏連通可能に形成することができる。また、アウター部材には、コード挿通用の穴を形成することができる。
【００１１】
また、この発明の電子機器携帯用着衣では、上記の前提の構成において、インナー部材の胸部に発光素子装着部を設け、かつアウター部材の当該電源状態表示用発光素子装着部に対応する部分を透明または半透明に形成することができる。電源状態表示用発光素子装着部は、携帯用バッテリーの残容量不足や、電源ケーブルの接続不良等の警告を表示する。
【００１２】
電子機器携帯用着衣のインナー部材と、アウター部材とには、相互結合するための面ファスナー等の結合手段を設けることができる。このファスナーは、たとえば、肩部や背面部に形成することができる。インナー部材と、アウター部材とを結合することで、電子機器携帯用着衣の着心地が向上し、また型崩れも防止できる。
【００１３】
この発明の電子機器携帯用着衣には、バックルスイッチ内蔵のベルトを付属させることができる。このベルトは、電子機器制御端子を有しており、前記スイッチは、装着により作動し、両端子を導通させることができる。なお、「付属」とは、必ずしも着衣と一体になっている必要はなく、最終的にユーザ（現場技術者，作業員等）が、着衣を着た際に、バックルスイッチ内蔵ベルトも装着できれば良い。
【００１４】
本発明の着衣装着型電子機器システムは、電子機器携帯用着衣のインナー部材の電子機器装着部に、コンピュータ，データ通信装置，カメラ主装置，モニター主装置の電子機器のうち少なくとも１つが装着されてなることを特徴とする。
【００１５】
この着衣装着型電子機器システムは、カメラや超小型ディスプレイ（ヘッドマウントディスプレイ）が搭載されたヘルメットを含むことができる。このカメラや超小型ディスプレイは、インナー部材の適宜の電子機器装着部に装着されたカメラ主装置やモニター主装置に接続することができる。
【００１６】
本発明の着衣装着型電子機器システムでは、電子機器携帯用着衣のインナー部材の電子機器装着部に、さらにバッテリーパック及び電源制御装置を装着することができる。この電源制御装置は、バッテリーパックの電力を、コンピュータ，データ通信装置，カメラ主装置，モニター主装置の電子機器のうち、少なくとも１つの電源として機能することができる。もちろん、電子機器が、内蔵バッテリーを持つ場合には、当該バッテリーを電源として用いることができる。
【００１７】
また、本発明の着衣装着型電子機器システムでは、電子機器携帯用着衣として、バックルスイッチ組み込み式ベルトを付属構成要素として持つものを用いることができる。この場合、ベルトは電源制御用端子を有し、バックルスイッチは装着によりオンとなって、前記電源制御用端子に接続された電源制御装置を駆動することができる。
【００１８】
さらに、本発明の着衣装着型電子機器システムでは、電子機器携帯用着衣として、インナー部材の胸部に発光素子装着部が設けられ、かつアウター部材の当該電源状態表示用発光素子装着部に対応する部分が、透明または半透明に形成されたものを用いることができる。発光素子装着部のＬＥＤ等の発光素子は、前記電源制御装置の動作を表示することができる。
【００１９】
【発明の実施の形態】
本発明の電子機器携帯用着衣及び着衣装着型電子機器システムの実施の形態を説明する。図１及び図２は、電子機器携帯用着衣１のインナー部材１１の前面及び後面をそれぞれ示している。
【００２０】
本実施の形態では、インナー部材１１の素材として、ナイロン等の強度がある素材が使用されており、通気性を高めるため、前部や後部の一部にナイロンメッシュが使用されている。
【００２１】
図１に示すように、インナー部材１１の前面には、装着部１１１ａ〜１１１ｄが設けられている。装着部１１１ａ，１１１ｃ，１１１ｄはポケットからなり、装着部１１１ｂは面ファスナー（たとえば、ループ面材）により構成されている。なお、図１では、装着部１１１ｅ（図２参照）も一部表示されている。
【００２２】
一方、図２に示すように、インナー部材１１の後面には、装着部１１１ｅ〜１１１ｊが設けられている。また、インナー部材１１の前面及び後面の適宜箇所には、ケーブル止め１１２ａ〜１１２ｄが設けられている。
【００２３】
さらに、図１に示すように、インナー部材１１には、バックルスイッチ内蔵のベルト１４が取り付けられている。このベルト１４は、帯部１４１とバックル１４２とからなり、バックル１４２には図７において後述するようにマグネット動作型のスイッチ１４３が内蔵されている。
【００２４】
さらに、図１及び図２では、電子機器携帯用着衣１の装着部１１１ａ〜１１１ｊに電子機器が装着されている様子が示されている。これらの図に示されるように、装着部１１１ａにモニター主装置１６１ａが装着され、装着部１１１ｂに電源状態表示用ＬＥＤユニット１６１ｂが装着され、装着部１１１ｃにカメラ主装置１６１ｃが装着され、装着部１１１ｄにオフテーブルマウス１６１ｄが装着されている。
【００２５】
また、装着部１１１ｅにコンピュータ１６１ｅが装着され、装着部１１１ｆにデータ通信装置１６１ｆが装着され、装着部１１１ｇに画像電送装置１６１ｇが装着され、装着部１１１ｈにスイッチング電源装置１６１ｈが装着され、装着部１１１ｉにプライマリーバッテリーパック１６１ｉが装着され、装着部１１１ｊにセカンダリーバッテリーパック１６１ｊが装着されている。
【００２６】
図１及び図２には、電子機器携帯用着衣１とともに用いるヘルメット１５が示されている。このヘルメット１５の前部には、ムービーカメラ（「ヘルメットカメラ」と言う）１５１が取り付けられ、側部には超小型ディスプレイ１５２が取り付けられている。
【００２７】
図３及び図４は、本実施の形態の電子機器携帯用着衣１のアウター部材１２の前面及び後面をそれぞれ示す図である。本実施の形態では、アウター部材１２の素材として、表地に撥水コーティングしたポリウレタンが使用され、さらに図１及び図２で示した装着部１１１ａ〜１１１ｊに装着された各電子機器を衝撃から保護するために、表地裏地間に中綿が設けられている。
【００２８】
図３に示すように、アウター部材１２の前面は、図１に示した装着部１１１ａに対応する部位（左胸部）に、膨出部１２１ａが形成されている。この膨出部１２１ａの上部には、面ファスナー付き開閉部Ｆが設けられている。開閉部Ｆからはモニター主装置１６１ａと、超小型ディスプレイ１５２とを接続するケーブルが引き出されている。なお、このアウター部材１２に設けた膨出部１２１ａは、対向するインナー部材１１のポケット状の装着部１１１ａ内にモニター主装置１６１ａが挿入されて前方に突出してきた場合の逃げを構成するべく、当該領域のみ前方に突出した形状としている。
【００２９】
これにより、装着部１１１ａにモニター主装置１６１ａを収納したインナー部材１１とアウター部材１２を着た場合に、モニター主装置１６１ａにより膨らんだ装着部１１１ａの前面側周囲を、膨出部１２１ａが覆う状態となる。そして、膨出部１２１ａは、元々その他の領域に比べて前方に突出しているので、装着部１１１ａが前方に突出しても、それにつれてアウター部材１２の周囲部分も前方に引っ張られるようなことが無く、ストレス無く着ることができる。そして、これからわかるように、膨出部１２１ａは、単に前方に突出した形状としているだけで、収納部としての機能はない。
【００３０】
また、アウター部材１２の右前肩部にはカメラ主装置１６１ｃとヘルメットカメラ１５１とを接続するケーブルの連通穴Ｈが設けられている。さらに、アウター部材１２の所定位置、つまり、図１に示した装着部１１１ｂに対応する領域１２１ｂには、光が透過できるように透明素材により構成されている。
【００３１】
なお、図３では、アウター部材１２の前にはポケット１２２が設けられている。このポケット１２２には、携帯型電話１６２と、ハンディカメラ１７２とが収められている。携帯型電話１６２には、ハンズフリーイヤホン・マイク１６２ａが接続されている。また、ハンディカメラ１７２は、カメラ主装置１６１ｃに接続されており、ハンディカメラ１７２とカメラ主装置１６１ｃと接続するケーブルは、連通穴Ｈから引き出されている。
【００３２】
図４に示すように、アウター部材１２の左後ろ側面（脇部）には、通気メッシュ１２３が設けられており、この通気メッシュから、図２に示したコンピュータ１６１ｅが発した熱を外気に逃がすことができる。
【００３３】
本発明では、基本的に収納機能は、インナー部材１１側に設け、アウター部材１２は、その装着部（収納部）並びにその装着部に収納した各種機器のカバー（保護）として機能するようにしている。もちろん、例えばポケット１２２のように、アウター部材１２にも一時的に保持するための大型の収納部を設け、作業性の向上を図っているが、電子機器システムの骨子を構成する機器は、インナー部材１１の装着部に収納するようにしている。
【００３４】
さらに、本実施の形態における特徴としては、インナー部材１１に設ける装着部（収納部）の位置を、インナー部材１１の表面側、つまり、アウター部材１２との対向面側にしている。つまり、通常、衣服に設けるポケット等は、衣服全体における表面か、裏面（内面）側としている。従って、本発明のようにインナー部材付きの被覆の場合、アウター部材の表面か、インナー部材の裏面（内面）に設けるのが一般的な常識（既成概念）といえるが、本発明では、係る概念を打破し、インナー部材１１とアウター部材１２の対向する面に装着部（収納領域）を設けている。これにより、装着部に収納する各種電子機器は、インナー部材１１とアウター部材１２の間の空間に位置されることになる。
【００３５】
これにともない、必要に応じてアウター部材１２の適宜位置に開口部（開閉部Ｆ，連通穴Ｈ等）を設け、外部と連通可能としている。つまり、装着部への機器の収納，取り出しやケーブルの引き回し等を行えるようにしている。
【００３６】
係る構成をとることにより、この電子機器携帯用着衣を着たユーザ（作業員）にとっては、電子機器と自身との間に少なくともインナー部材１１が介在されるため、インナー部材１１がクッションの機能を持ち、矩形状の電子機器の角等が直接当たることが無く、圧迫感が減少する。また、例えばバッテリーやコンピュータなどの発熱する電子機器を装着した場合であっても、インナー部材１１が一種の断熱材として機能する。換言すると、上記したクッション機能や断熱機能を発揮しやすい材質でインナー部材１１を構成すると好ましい。
【００３７】
また、電子機器にとっては、身体との間にインナー部材１１が介在することにより、例えば、作業員の発汗に伴う水分等が電子機器に付着することを防止できる。また、電子機器の外側には、アウター部材１２により保護されているので、作業員の移動・作業に伴い周囲の設置物等に衝突した場合でも、その衝撃が緩和され、故障されにくくなるので好ましい。
【００３８】
なお、インナー部材１１の外面適宜箇所（たとえば、肩部の近傍）及びアウター部材１２の内面適宜箇所には、ファスナーをそれぞれ取り付けることもできる。このようにすると、そのファスナーにより、インナー部材１１とアウター部材１２とを連結一体化することができ、両者間の相対的な位置ずれを防止することができる。よって、例えばインナー部材１１側の装着部１１１ａ（モニター主装置１６１ａ）とアウター部材１２側の膨出部１２１ａを正対させたり、装着部１１１ｂ（電源状態表示用ＬＥＤユニット１６１ｂ）と、透明素材からなる領域１２１ｂを正対させることができる。
【００３９】
しかも、ファスナーとすることにより、連結している部分が線（細長な面）となるので、インナー部材１１とアウター部材１２はしっかりと一体化され、装着部１１１ａ〜１１１ｊに装着した各種電子機器の荷重が均等にかかるので、好ましい。
【００４０】
さらに、アウター部材１２の後面中央部には、図２に示したバッテリーパック１６１ｉ，１６１ｊ交換用の窓開け１２４が設けられており、後面下部には着崩れ防止ボタン１２５（スナップ）が設けられている。この着崩れ防止ボタン１２５は、インナー部材１１に設けられたスナップと連結する。これにより、インナー部材１１とアウター部材１２は、その上方位置（肩部周辺）にてファスナーで一体化され、下方位置でスナップで一体化されることにより、より一体性が増し、１枚の着衣となり、インナー部材１１が位置ずれし、収納された電子機器も移動することが抑制できる。よって、着心地感が向上する。
【００４１】
もちろん、電子機器システムを構成する各種の電子機器は、インナー部材１１に装着されているので、例えば季節によってアウター部材１２を交換することにより、簡単に各季節に適した着衣となる。また、このように簡単にインナー部材１１とアウター部材１２を離脱させることができるので、比較的汚れやすいアウター部材１１を取り外してクリーニングなどをすることができる。
【００４２】
次に、着衣装着型電子機器システム２について説明する。図５は、係るシステムの全体構成のブロック図を示している。まず、着衣装着型電子機器システム２の信号系統（実線矢印で示す）について説明する。
【００４３】
コンピュータ１６１ｅは、モニター主装置１６１ａに接続されており、そのモニター主装置１６１ａには、超小型ディスプレイ１５２が接続されている。そして、超小型ディスプレイ１５２は、コンピュータ１６１ｅのモニターとして機能することができるし、ヘルメットカメラ１５１や、ハンディカメラ１７２の画像を表示することもできる。また、遠隔地のステーション３からデータ通信装置１６１ｆを介して受信した画像等を表示することもできる。さらに、コンピュータ１６１ｅには、オフテーブルマウス１６１ｄが接続されている。なお、コンピュータ１６１ｅは、ＮＴＳＣ信号出力端子及びＵＳＢ端子を持つ。また、ＵＳＢ／シリアル変換アダプタを使用して、従来のシリアル機器の接続も可能である。
【００４４】
カメラ主装置１６１ｃは、切換器１７１を介してヘルメットカメラ１５１と、ハンディカメラ１７２に接続されている。画像伝送装置１６１ｇのビデオ出力端子は、モニター主装置１６１ａのＮＴＳＣ入力端子に接続されている。画像伝送装置１６１ｇのコントロール端子Ｇ＿ＣＮＴＲＬには、キャプチャーボタン１７３が接続されている。さらに、画像伝送装置１６１ｇのＲＳ２３２入出力端子はデータ通信装置１６１ｆに接続されている。
【００４５】
次に、着衣装着型電子機器システム２の電源系統（破線矢印で示す）について説明する。セカンダリーバッテリーパック１６１ｊ及びプライマリーバッテリーパック１６１ｉは、スイッチング電源装置１６１ｈの電力入力端子Ｐ＿ＩＮに接続されている。また、ベルト１４の端子はスイッチング電源装置１６１ｈの制御端子Ｒ＿ＣＮＴＲＬに接続されている。
【００４６】
スイッチング電源装置１６１ｈの電力出力端子Ｐ＿ＯＵＴは、モニター主装置１６１ａ，電源状態表示用ＬＥＤユニット１６１ｂ，カメラ主装置１６１ｃ，コンピュータ１６１ｅ，データ通信装置１６１ｆ並びに画像伝送装置１６１ｇに接続されている。
【００４７】
図６は、スイッチング電源装置１６１ｈの構成を示す図である。スイッチング電源装置１６１ｈは、４つのスイッチング電源ユニットＵ１〜Ｕ４を内蔵している。
【００４８】
スイッチング電源ユニットＵ１，Ｕ２は、ともに定格出力電圧１５Ｖ，定格出力電流１．５Ａであり、各ユニットの出力端子が、コンピュータ１６１ｅの電源入力端子に接続されている。さらに、スイッチング電源ユニットＵ１，Ｕ２は、常時、バッテリーパック１６１ｉ，１６１ｊと接続されており、コンピュータ１６１ｅのオン・オフは、当該コンピュータ１６１ｅに備えられたスイッチＳＷ＿Ｃにより行われる。
【００４９】
スイッチング電源ユニットＵ３は、定格電圧７Ｖ，定格電流１．４Ａの電力を、モニター主装置１６１ａとデータ通信装置１６１ｆとに供給可能となっている。また、スイッチング電源ユニットＵ４は、定格電圧６Ｖ，定格電流１．４Ａの電力を、電源状態表示用ＬＥＤユニット１６１ｂ，カメラ主装置１６１ｃ並びに画像伝送装置１６１ｇに供給可能にしている。
【００５０】
スイッチング電源装置１６１ｈの制御端子Ｒ＿ＣＮＴＲＬは、ベルト１４の電源制御用端子に電源制御用ラインに接続されている。スイッチング電源ユニットＵ３及びＵ４は、リレー１６３を介してバッテリーパック１６１ｉ，１６１ｊに接続されており、次に述べるように、作業技術者がベルト１４のバックル１４２を締めたときに、リレー１６３がスイッチ１６４をオンし、データ通信装置１６１ｆ，電源状態表示用ＬＥＤユニット１６１ｂ，画像伝送装置１６１ｇ並びにカメラ主装置１６１ｃに電源が投入される。
【００５１】
図７は、ベルト１４を示す説明図である。ベルト１４は、帯部１４１とバックル１４２とを備えており、バックル１４２は、バックル部１４２ａとバックル嵌着部１４２ｂとを備えている。バックル嵌着部１４２ｂの先端にはマグネットＭが設けられており、バックル部１４２ａの裏面には磁気駆動型のスイッチ１４３が設けられている。これにより、バックル嵌着部１４２ｂがバックル部１４１ａに嵌合すると、マグネットＭの磁力により、スイッチ１４３がオンし、スイッチング電源装置１６１ｈのスイッチング電源ユニットＵ３及びＵ４がアクティブとなる。
【００５２】
なお、図７において、セカンダリーバッテリーパック１６１ｊは、プライマリーバッテリーパック１６１ｉに並列接続され、プライマリーバッテリーパック１６１ｉ及びセカンダリーバッテリーパック１６１ｊは、充電端子Ｃ＿Ｔを有している。
【００５３】
次に、図８を用いて、着衣装着型電子機器システム２を起動してから終了するまでの、現場技術者の操作を説明する。現場技術者は、電子機器１６１ａ〜１６１ｊが所定配線され（図５参照）、かつこれらが所定装着部１１１ａ〜１１１ｊ（図１，図２参照）に装着されたインナー部材１１及びアウター部材１２を着用するとともに、ヘルメット１５を着用する（Ａ１１０）。
【００５４】
ヘルメット１５の着用に際して、モニター主装置１６１ａの画像出力端子からアウター部材１２の膨出部１２１ａの開閉部Ｆを介して引き出されているケーブルの先端に接続されている超小型ディスプレイをヘルメットに装着し、カメラ主装置１６１ｃの画像入力端子から引き出されたケーブルをアウター部材１２の連通穴Ｈを介してヘルメットカメラ１５１に接続する。なお、このとき、現場技術者は携帯型電話１６２やハンディカメラ１７２も併せて装備する。
【００５５】
この時点では、モニター主装置１６１ａ，カメラ主装置１６１ｃ，コンピュータ１６１ｅ，データ通信装置１６１ｆ並びに画像伝送装置１６１ｇの電源はオフしてあるものとする。そして、作業技術者がベルト１４のバックルを締めると（Ａ１２０）、電源状態表示用ＬＥＤユニット１６１ｂ（ここでは、赤色ＬＥＤと緑色ＬＥＤとが含まれるものとする）が点灯する。
【００５６】
これにより、作業技術者は、バッテリーパック１６１ｉ，１６１ｊが充電不良を示しているかを電源状態表示用ＬＥＤユニット１６１ｂの表示により確認することができる（Ａ１３０）。すなわち、緑色ＬＥＤの照度が低いときにはバッテリーパック１６１ｉ，１６１ｊの交換を行った後、Ａ１１０に戻り、充電不良を示していないとき（緑色ＬＥＤが点灯しているとき）には、スイッチング電源装置が自動的にモニター主装置１６１ａ，カメラ主装置１６１ｃ，コンピュータ１６１ｅ，データ通信装置１６１ｆ並びに画像伝送装置１６１ｇの電源をオンする（Ａ１４０）。
【００５７】
本実施の形態では、スイッチング電源装置１６１ｈと、モニター主装置１６１ａ，カメラ主装置１６１ｃ，コンピュータ１６１ｅ，データ通信装置１６１ｆ並びに画像伝送装置１６１ｇとを接続するケーブルに接続不良等の障害がある場合には、電源状態表示用ＬＥＤユニット１６１ｂに異常が表示（ここでは、赤色ＬＥＤの点灯）されるように構成されている。よって、作業技術者は電源状態表示用ＬＥＤユニット１６１ｂを見ることにより、異常の有無を確認することができる（Ａ１５０）。そして、作業技術者は、電源状態表示用ＬＥＤユニット１６１ｂに異常が表示されているときには、個々の機器の電源スイッチの状態や電源ケーブルのチェック等を行いＡ１１０に戻る。
【００５８】
作業技術者は、着衣装着型電子機器システム２が稼動しているときに電源状態表示用ＬＥＤユニット１６１ｂの緑色ＬＥＤの照度低下や、赤色ＬＥＤの点滅により、バッテリーパック１６１ｉ，１６１ｊの充電残容量が少なくなったことや、電源ケーブルの接続不良が生じたこと等を知ることができる。
【００５９】
一方、作業技術者が、作業終了或いは上記のバッテリーパック１６１ｉ，１６１ｊの充電残容量等により、着衣装着型電子機器システム２の稼動を停止するときには（Ａ１６０）、ベルト１４のバックル１４２を外すことにより（Ａ１７０）、モニター主装置１６１ａ，カメラ主装置１６１ｃ，データ通信装置１６１ｆ，画像伝送装置１６１ｇの電源を自動的にオフにする。
【００６０】
次に、現場技術者と、ステーション３との画像のやりとりを、図９により説明する。まず、モニター主装置１６１ａの入力切換スイッチＳＷ＿Ｍを、ＮＴＳＣ側にセットする（Ｂ１１０）。これにより、画像伝送装置１６１ｇは、超小型ディスプレイ１５２に、ヘルメットカメラ１５１またはハンディカメラ１７２の画像を表示する（Ｃ１１０）。
【００６１】
現場技術者は、ヘルメットカメラ１５１／ハンディカメラ１７２の切り換えを行うことができ（Ｂ１２０）、画像伝送装置１６１ｇは、超小型ディスプレイ１５２に表示された画像を切り換える（Ｃ１２０）。
【００６２】
現場技術者は、ステーション３から、画像伝送要求を携帯型電話１６２を介して受信すると（Ｂ１３０）、ヘルメットカメラ１５１またはハンディカメラ１７２の画像をキャプチャーボタン１７３により決定する（Ｂ１４０）。
【００６３】
画像伝送装置１６１ｇは画像をキャプチャーし、超小型ディスプレイ１５２に表示するとともに、データ通信装置１６１ｆを介して、キャプチャー画像をステーション３に送信する（Ｃ１３０）。つまり、画像がスルー状態のときにキャプチャーボタン１７３を押下すると、画像のキャプチャーとともに通信を開始する機能を有する。
【００６４】
画像伝送装置１６１ｇは、ステーション３から画像をデータ通信装置１６１ｆを介して受信したときは、当該画像を超小型ディスプレイ１５２に表示する（Ｃ１４０）。
以下に、本実施の形態における着衣装着型電子機器システムを用いた具体的な応用例を示す。
【００６５】
（１）作業技術者は、着衣装着型電子機器システム２を用いて、ステーション３側に、画像を用いた作業報告等を行うことができる。またステーション３側は、画像を用いた各種指示を作業技術者に与えることができる。
（２）ステーション３側で、作業技術者が見ている対象をリアルタイムで見ることができるので、適切な指示や教示をすることができる。
【００６６】
（３）ステーション３側で、着衣装着型電子機器システム２から受信した画像の解析等を行うことができる。ステーション３は、解析結果を着衣装着型電子機器システム２に送信することができるので、作業技術者の目視確認能力の限界をサポートすることができる。
【００６７】
（４）ステーション３側で、着衣装着型電子機器システム２から受信した画像（たとえば、電気メータ等の画像）の内容を監視することで、障害兆候を早期に確認することができる。また、作業技術者の錯誤の防止等を図ることができる。
（５）作業技術者は、着衣装着型電子機器システム２を即座に装備できるので、機動性に優れた作業を行うことができる。
【００６８】
【発明の効果】
本発明によれば、電子機器携帯用着衣の装着部に装着された各種電子機器を効率よく使用することができる。また、遠隔地のステーションと画像等のデータ通信を効率よく行うことができる。
【図面の簡単な説明】
【図１】本発明の実施の形態における電子機器携帯用着衣のインナー部材前面を示す図である。
【図２】本発明の実施の形態における電子機器携帯用着衣のインナー部材後面を示す図である。
【図３】本発明の実施の形態における電子機器携帯用着衣のアウター部材前面を示す図である。
【図４】本発明の実施の形態における電子機器携帯用着衣のアウター部材後面を示す図である。
【図５】本発明の着衣装着型電子機器システムの実施の形態を示す、ブロック図である。
【図６】本発明の実施の形態におけるスイッチング電源装置の構成を示す図である。
【図７】本発明の実施の形態におけるインナー部材に付属のベルトを示す説明図である。
【図８】本発明の実施の形態において、着衣装着型電子機器システムを起動してから終了するまでの現場技術者の操作を示す図である。
【図９】図５の実施の形態において、現場技術者とステーションとの画像のやりとりを示す図である。
【符号の説明】
１  電子機器携帯用着衣
２  着衣装着型電子機器システム
３  ステーション
１１  インナー部材
１２  アウター部材
１４  ベルト
１５  ヘルメット
１１１ａ〜１１１ｊ  装着部
１１２ａ〜１１２ｄ  ケーブル止め
１２１ａ  アウター部材の膨出部
１２１ｂ  装着部に対応する領域
１２２  ポケット
１２３  通気メッシュ
１２４  アウター部材の背中の窓開け
１２５  着崩れ防止ボタン
１４１  ベルトの帯部
１４２  ベルトのバックル
１４２ａ  バックル部
１４２ｂ  バックル嵌着部
１４３  スイッチ
１５１  ヘルメットカメラ（ムービーカメラ）
１５２  超小型ディスプレイ
１６１ａ  モニター主装置
１６１ｂ  電源状態表示用ＬＥＤユニット
１６１ｃ  カメラ主装置
１６１ｄ  オフテーブルマウス
１６１ｅ  コンピュータ
１６１ｆ  データ通信装置
１６１ｇ  画像伝送装置
１６１ｈ  スイッチング電源装置
１６１ｉ  プライマリーバッテリーパック
１６１ｊ  セカンダリーバッテリーパック
１６２  携帯型電話
１６２ａ  ハンズフリーイヤホン・マイク
１６３  リレー
１６４  リレーにより駆動されるスイッチ
１７１  カメラの切換器
１７２  ハンディカメラ
１７３  キャプチャーボタン
Ｆ  アウター部材膨出部の開閉部
Ｈ  連通穴
Ｍ  バックル嵌着部に設けられたマグネット
ＳＷ＿Ｍ  モニター主装置の入力切換スイッチ
ＳＷ＿Ｃ  コンピュータのオン・オフスイッチ
Ｕ１〜Ｕ４  スイッチング電源ユニット
【図１】
0003649682.tif 000002
【図２】
0003649682.tif 000003
【図３】
0003649682.tif 000004
【図４】
0003649682.tif 000005
【図５】
0003649682.tif 000006
【図６】
0003649682.tif 000007
【図７】
0003649682.tif 000008
【図８】
0003649682.tif 000009
【図９】
0003649682.tif 000010